(57)【要約】【課題】携帯電話の従来のストラップ飾りは、つるつるしたプラスチック製のマスコットとか、布の繊維を材料として作った動物の人形とかといったものが多かった。これらは若い女性の好みに合わせたものが殆どであり、中高年の人の需要を満たすものは極めて少なかった。【解決手段】ストラップ飾りの主体部分に本物の畳表の材料を用い、縁に布テープをあしらって、あたかも畳のミニチュアのような構造のものにした。その結果、全体として純和風的な雰囲気を漂わせるものとなり、しっとりと落ち着いた感じをかもし出し、中高年の人が使用しても決しておかしくはないようなものとなった。【選択図】図１
0003125380.tif 000002
【実用新案登録請求の範囲】
【請求項１】
２重に折り重ねられた畳表材と、
該畳表材の内部中央を長手方向に挿通され、該畳表材の両側からはみ出た部分の一方の側に輪の部分を有する連結ひもと、
該連結ひもの輪の無い側の端部に嵌められた第１のビーズと、
該第１のビーズが抜け落ちないようその外方に設けられた抜け止め部と、
前記連結ひもの前記輪の根元に位置するよう嵌められた第２のビーズと、
前記連結ひもの長手方向の縁を覆うよう固着された布テープと、
から構成されたことを特徴とするストラップ飾り。
【考案の詳細な説明】
【技術分野】
【０００１】
本考案は、携帯電話等のストラップに取り付けて楽しむための、ストラップ飾りに関するものである。
【背景技術】
【０００２】
携帯電話のストラップに、人形や動物のマスコット等の何らかの飾りを付けている人は、当初は若い女性が殆どであった。しかし、その内、若い男性にも広がり始めた。中高年の人は、当初、他人が直ぐ傍にいるにも係わらず、街中や電車の中で不作法に電話する若者に批判的で、携帯電話を持つのを躊躇していたが、最近では、その便利さに引かれて持つ人が爆発的に増えている。それにつれて中高年の人の中にも、ストラップに飾りを付ける人が多くなって来ている。
【特許文献１】特開２００５−１９８７４６号公報
【考案の開示】
【考案が解決しようとする課題】
【０００３】
従来のストラップ飾りは、つるつるしたプラスチック製のマスコットとか、布の繊維を材料として作った動物の人形とかといったようにただ可愛さを強調するものが多く、どちらかと言うと若い女性の好みに合わせて作ったと思われるものが殆どであった。
しかし、前記したように、ストラップ飾りの需要者は今日では中高年の人にも多くなって来ており、中高年の人が付けてもおかしくないような、しっとりと落ち着いた感じのストラップ飾りも要望されている。しかるに、現状ではそのようなものは極めて少なく、中高年の人の需要を充分に満たしているとは言えないという問題点があった。
本考案は、このような問題点を解決することを課題とするものである。
【課題を解決するための手段】
【０００４】
前記課題を解決するため、本考案のストラップ飾りは、２重に折り重ねられた畳表材と、該畳表材の内部中央を長手方向に挿通され、該畳表材の両側からはみ出た部分の一方の側に輪の部分を有する連結ひもと、該連結ひもの輪の無い側の端部に嵌められた第１のビーズと、該第１のビーズが抜け落ちないようその外方に設けられた抜け止め部と、前記連結ひもの前記輪の根元に位置するよう嵌められた第２のビーズと、前記連結ひもの長手方向の縁を覆うよう固着された布テープとから構成される構造のものとした。
【考案の効果】
【０００５】
本考案のストラップ飾りによれば、主体部分に本物の畳表の材料を用い、縁に布テープをあしらってあたかも畳のミニチュアのようにしているので、純和風的な雰囲気を漂わせるものとなっている。そのため、しっとりと落ち着いた感じとなり、中高年の人が携帯電話のストラップの飾りとして付けても決しておかしくはなく、そのような人達の需要を充分満たすという効果を奏する。
【考案を実施するための最良の形態】
【０００６】
以下、本考案の実施形態を図面に基づいて詳細に説明する。
図１は、本考案のストラップ飾りを示す図である。図１において、１はストラップ飾り、２は布テープ、３はビーズ、４は抜け止め部、５は畳表材、５−１は織糸、６は連結ひもである。なお、図１（１）は平面図、図１（２）は側面図である。
【０００７】
畳表材５は、畳表を作る時に使用される材料（例えば、い草）と織糸５−１とにより、本物の畳のように織られたものである。畳表材５の内部の中央に、織糸５−１と同じ方向に連結ひも６を通し、両側に出た部分にビーズ３を嵌める。そして、連結ひも６の一端（図では左端）は結んで抜け止め部４とし、ビーズ３の抜け落ちを防ぐ。連結ひも６の他端には輪になる部分を具えておき、嵌めたビーズ３はその輪になっている部分の根元に位置するようにする。そうすることにより、輪になっている部分はビーズ３より長く外方に出た形になるから、その輪の部分をストラップとの連結に使用する。
【０００８】
なお、連結ひも６は全体として１本で構成しても良いし、２本で構成しても良い。１本で構成する場合は、次のようにする。一方の側に輪の部分が出来るよう、連結ひも６を２つ折りにする。これを畳表材５に挿通して、両側にビーズ３を嵌める。輪の無い側の端部には抜け止め部４を設ける。
２本で構成する場合は次のようにする。１本は真っ直ぐとし、他の１本は輪にしておく。先ず、真っ直ぐな１本を畳表材５に挿通し、両側にビーズ３を嵌める。一方の端部に抜け止め部４を設け、他方の端部には輪にしておいた１本を連結する。
【０００９】
畳表材５の上下の縁は、畳の耳に使われる模様と似た模様の布テープ２で縁取り、全体として畳のミニチュアの感じが出るような仕上げとする。全体のサイズは、当然のことながら、携帯電話等のストラップに付ける飾りとして許容されるサイズとする。
図２は、本考案のストラップ飾りの製造過程を示す図であり、符号は図１のものに対応している。
図２（１）は、準備すべき畳表材５を展開した図である。畳表材５の長手方向の長さは、ストラップ飾りが出来上がった時の長さの２倍の長さとしておく。それを、図２（２）に示すように、２つに折り重ねる。図２（３）は、折り重ねた畳表材５の側面図である。      
【００１０】
次に、図２（３）に示すように、折り重ねた畳表材５の中央部に、例えば２つに折り曲げ（て一方に輪を作るようにし）た連結ひも６を通し、畳表材５からはみ出た所にそれぞれビーズ３を嵌める。
ビーズ３の外側にある連結ひも６の端部の内、輪になっている側はそのままとし、その反対側には抜け止め部４を設ける。抜け止め部４は、ビーズ３が抜け落ちるのを防止するためのものであり、連結ひも６の端部を単に結んでおくだけでもよい。
【００１１】
連結ひも６としては、天然繊維のひもでも合成繊維のひもでも用いることが出来るが、丈夫な和紙を用いることも出来る。和紙を用いた場合、畳表材５と相俟って、純和風的な味わいを更にかもし出すことが出来る。
連結ひも６の輪になっている部分が、ストラップに取り付けるのに用いられるわけであるが、そこを直接ストラップに取付けても勿論良いが、直接ではなく、開閉可能な金属リングを介して取り付けるようにしてもよい。
【００１２】
最後に、畳表材５の縁を覆うように布テープ２を固着する。固着は適宜な方法で行うことが出来る。例えば接着剤等を用いて行っても良いし、糸で縫いつけても良い。
図３は、本考案のストラップ飾りの使用状況を示す図である。符号は図１のものに対応し、７は携帯電話、８はストラップ、９はストラップ取付部である。
殆どの携帯電話７にはストラップ取付部９が設けられており、そこにストラップ８が取り付けられる。そのストラップ８に、本考案のストラップ飾り１を、図示するように取り付けて使用する。
【００１３】
このようにして使用すると、あたかも畳のミニチュアのようなストラップ飾りが、純和風的な雰囲気を漂わせ、しっとりと落ち着いた大人の感じをかもし出す。そのため、中高年の人が携帯電話のストラップの飾りとして付けても決しておかしくはなく、そのような人達の需要を充分満たすものとなっている。
また、用途は携帯電話に限られるわけではなく、ストラップを有する他の物（例えば、小物入れとかバッグ等）にも、同様に使用することが出来ることは言うまでもない。
【図面の簡単な説明】
【００１４】
【図１】本考案のストラップ飾りを示す図
【図２】本考案のストラップ飾りの製造過程を示す図
【図３】本考案のストラップ飾りの使用状況を示す図
【符号の説明】
【００１５】
１…ストラップ飾り、２…布テープ、３…ビーズ、４…抜け止め部、５…畳表材、５−１…織糸、６…連結ひも、７…携帯電話、８…ストラップ、９…ストラップ取付部
【図１】
0003125380.tif 000003
【図２】
0003125380.tif 000004
【図３】
0003125380.tif 000005